(57)【要約】  本発明は、スポーツアイテムのユーザ依存状態を判定するシステムであって、以下の：前記スポーツアイテムの複数の位置を検出する検出手段（101）；及び検出された複数の位置に基づき、スポーツアイテムの状態を判定する判定手段（103）；を含む、システムに関する。【選択図】  図１
2014531588.tif 000002
【特許請求の範囲】
【請求項１】
スポーツアイテムのユーザ依存状態を判定するシステムであって、以下の：
前記スポーツアイテムの複数の位置を検出する検出手段（101）；及び
検出された複数の位置に基づき、スポーツアイテムの状態を判定する判定手段（103）；
を含む、システム。
【請求項２】
前記スポーツアイテムはボール及びパックであり、かつ、前記ユーザが運動選手である、請求項１記載のシステム。
【請求項３】
前記スポーツアイテムの状態は、以下の：ユーザでのスポーツアイテムの滞留時間；速度、特に並進速度又はスポーツアイテムの回転速度；パルス、特にスポーツアイテムの角運動や並進運動量；スポーツアイテム用の移動方向；加速度、特にスポーツアイテムの正又は負の加速度の加速度；の状態の１つである、請求項１又は２記載のシステム。
【請求項４】
前記スポーツアイテムが、位置信号、特に、グローバルポジショニングシステムを送信するように構成され、かつ、前記検出手段は、複数の位置を決定するために位置信号を受信するように構成される、請求項１〜３いずれか１項記載のシステム。
【請求項５】
前記検出手段（101）は、前記スポーツアイテムの反射信号、特にレーダ信号又はレーザ信号を受信するように、かつ、前記反射された反射信号に基づいて複数の位置を決定するように、構成される、請求項１〜４いずれか１項記載のシステム。
【請求項６】
前記検出手段（101）は、前記反射信号を生成するために、送信信号、特に、レーダ信号又はレーザ信号を送信するように構成される、請求項５記載のシステム。
【請求項７】
前記決定手段（103）は、ユーザのスポーツアイテム滞留時間としてのスポーツアイテムのユーザ依存の状態と決定するために、１回目のユーザが前記スポーツアイテムを受け取る時間及び２回目のユーザが前記スポーツアイテムを放出する時間を決定するように構成される、請求項１〜６いずれか１項記載のシステム。
【請求項８】
前記決定手段（103）は、前記１回目と２回目の間の、ユーザによりスポーツアイテムが移動される３回目の時点を決定するように構成され、それにより、前記１回目及び３回目の間の第１副滞留時間及び前記３回目と２回目の間の第２副滞留時間が決定される、請求項７記載のシステム。
【請求項９】
前記決定手段（103）は、スポーツアイテムの位置の大部分の時間プロファイルに基づき、スポーツアイテムの負の加速度を検出して、ユーザによるスポーツアイテムの受け取り時点を決定するためのユーザ依存の状態を決定するように構成される、請求項１〜８いずれか１項記載のシステム。
【請求項１０】
前記決定手段（103）は、スポーツアイテムの位置の大部分の時間プロファイルに基づき、スポーツアイテムの正の加速度を検出して、ユーザによるスポーツアイテムの放出時点を決定するためのユーザ依存の状態を決定するように構成される、請求項１〜９いずれか１項記載のシステム。
【請求項１１】
さらに、スポーツアイテム供与体、特に、スポーツアイテムを放出するボール供与体を備える、請求項１〜１０いずれか１項記載のシステム。
【請求項１２】
さらに、ユーザによるスポーツアイテムの放出後に、スポーツアイテムを受容するためのスポーツアイテム受容体を備える、請求項１〜１１いずれか１項記載のシステム。
【請求項１３】
前記スポーツアイテム受容体がボールゴール又は検知壁である、請求項１２記載のシステム。
【請求項１４】
前記検出手段（101）が検出した複数の位置を格納するように構成される、請求項１〜１３いずれか１項記載のシステム。
【請求項１５】
さらに、検出位置又は競技場上で複数の検出位置を表示するか又は投影するための表示手段（105）を備える、請求項１〜１４いずれか１項記載のシステム。
【請求項１６】
前記判定手段(103)が、前記ユーザ依存の状態を評価するために、前記ユーザ依存状態を基準状態と比較するように構成される、請求項１〜１５いずれか１項記載のシステム。
【請求項１７】
ユーザ依存の状態を検出する方法であって、以下の：
スポーツアイテムの複数の位置を検出するステップ；及び
検出された複数の位置に基づきスポーツアイテムの状態を決定するステップ；
を含む、方法。
【発明の詳細な説明】
【技術分野】
【０００１】
本発明は、スポーツアイテムのユーザ依存の状態を検出するシステム及び方法に関する。
【背景技術】
【０００２】
人間の動きは、複雑な生体力学的な連続である。したがって、例えば、ボールや投てき道具等のスポーツアイテムを用いる選手は、トレーニングで当該運動を行い、最適なスポーツの結果を得なければならない。このため、運動選手が、ボール競技速度等の特定の運動状態でゲームアイテムの使用を習得するのも重要である。
【発明の概要】
【発明が解決しようとする課題】
【０００３】
そこで、本発明は、スポーツアイテムのユーザ依存状態を検出するためのアプローチを提供することを目的とする。
【課題を解決するための手段】
【０００４】
当該目的は、独立請求項の特徴により解決される。有利な形態は、従属請求項、明細書及び図面の主題である。
【０００５】
本発明は、上記の目的は、ゲームアイテムを観察することで達成できるという知見に基づく。運動選手が、例えば、所定の時間間隔内に複数のボールの観察位置に基づき、ボール速度、すなわちボールの加速度又はボール保持を検出しうる。
【０００６】
本発明の第１の実施形態は、スポーツアイテムのユーザ依存状態を判定するシステムであって、以下の：当該スポーツアイテムの複数の位置を検出する検出手段；及び、検出された複数の位置に基づき、スポーツアイテムの状態を判定する判定手段；を含む、システムに関する。
【０００７】
１の実施形態では、当該スポーツアイテムは、ボール及びパックである。前記ユーザは運動選手である。
【０００８】
１の実施形態では、当該スポーツアイテムの状態は、以下の：ユーザでのスポーツアイテムの滞留時間；速度、特に並進速度又はスポーツアイテムの回転速度；パルス、特にスポーツアイテムの角運動や並進運動量；スポーツアイテム用の移動方向；加速度、特にスポーツアイテムの正又は負の加速度の加速度；の状態の１つである。
【０００９】
１の実施形態では、当該スポーツアイテムが、位置信号、特に、グローバルポジショニングシステムを送信するように構成され、かつ、前記検出手段は、複数の位置を決定するために位置信号を受信するように構成される。当該検出手段は、位置信号を受信するように、かつ、受信した位置信号に基づいてゲームアイテムの複数位置を決定するように、構成されてよい。当該検出手段は位置信号を受信するために、位置信号を受信する受信アンテナを含んでよい。当該検出手段は、さらに、当該ゲームアイテムの位置を検出するために、受信した位置信号を処理するように構成されてよい。
【００１０】
１の実施形態では、当該検出手段は、前記スポーツアイテムの反射信号、特にレーダ信号又はレーザ信号を受信するように、かつ、前記反射された反射信号に基づいて複数の位置を決定するように、構成される。
【００１１】
１の実施形態では、当該検出手段は、前記反射信号を生成するために、送信信号、特に、レーダ信号又はレーザ信号を送信するように構成される。このため、当該スポーツアイテムは、例えば、レーダ信号を反射するように金属であってよい反射面があってよい。
【００１２】
１の実施形態では、当該決定手段は、ユーザのスポーツアイテム滞留時間としてのスポーツアイテムのユーザ依存の状態と決定するために、１回目のユーザが前記スポーツアイテムを受け取る時間及び２回目のユーザが前記スポーツアイテムを放出する時間を決定するように構成される。
【００１３】
１の実施形態では、当該決定手段は、前記１回目と２回目の間の、ユーザによりスポーツアイテムが移動される３回目の時点を決定するように構成され、それにより、前記１回目及び３回目の間の第１副滞留時間及び前記３回目と２回目の間の第２副滞留時間が決定される。他のユーザに依存する状態としての第３の時間は、例えば、１の運動選手が１の足から他方の足へ当該球を移動させることにより、決定しうる。
【００１４】
１の実施形態では、当該決定手段は、スポーツアイテムの位置の大部分の時間プロファイルに基づき、スポーツアイテムの負の加速度を検出して、ユーザによるスポーツアイテムの受け取り時点を決定するためのユーザ依存の状態を決定するように構成される。
【００１５】
１の実施形態では、当該決定手段は、スポーツアイテムの位置の大部分の時間プロファイルに基づき、スポーツアイテムの正の加速度を検出して、ユーザによるスポーツアイテムの放出時点を決定するためのユーザ依存の状態を決定するように構成される。
【００１６】
１の実施形態では、当該システムはさらに、スポーツアイテム供与体、特に、スポーツアイテムを放出するボール供与体を備える。
【００１７】
１の実施形態では、当該システムはさらに、ユーザによるスポーツアイテムの放出後に、スポーツアイテムを受容するためのスポーツアイテム受容体を備える。
【００１８】
１の実施形態では、当該スポーツアイテム受容体がボールゴール又は検知壁である。
【００１９】
１の実施形態では、当該検出手段は、検出した複数の位置を格納するように構成される。
【００２０】
１の実施形態では、当該システムは、検出位置又は、競技場上、特に他の運動選手の周辺で複数の検出位置を表示するか又は投影するための表示手段を備える。
【００２１】
１の実施形態では、当該判定手段が、前記ユーザ依存の状態を評価するために、前記ユーザ依存状態を基準状態と比較するように構成される。
【００２２】
１の実施形態では、当該検出手段はスポーツアイテムの実際位置を検出するよう構成され、かつ、当該判定手段はゲームアイテムの目標位置を決定するように構成される。当該表示手段は、目標位置と実際位置が異なる場合、当該目標位置の指標を表示するように構成される。
【００２３】
目標位置の指標は、目標位置の表示又は目標位置それ自体が到達していないという表示又は目標位置の方向の表示を含みうる。実際位置が目標位置と異なるか否かを判定するため、判定手段は、前記所望の位置と実際位置を比較しうる。ここで、実際位置と目標位置をデジタル位置データの形式で利用しうる。
【００２４】
１の実施形態では、当該判定手段は、当該ゲームアイテムの所定の位置、特に、ゲームアイテムの１の予め設定可能な位置を目標位置として決定するように構成される。当該ゲームアイテムの所定の位置は、例えば、可能な複数の目標位置から選択されうる。当該選択は、ランダム又は確定的（決定論的）であってよい。当該所定の確定的位置は、例えば、制御により特定しうる。
【００２５】
１の実施形態では、ゲームアイテムはボールであり、当該判定手段は、検知壁のセンサ部を目標位置として決定するように、特に選択するように構成される。１の実施形態では、検知壁はシステムの要素である。別の実施形態では、検知壁はシステムの要素ではない。検知壁には、ボールを検出する圧力センサ等の少なくとも１つのセンサがあってよい。しかしながら、検知壁は、ボールの到着が、例えば、検知用壁の凹部又は凸部により、例えば、光学的に検出されうる１の実施形態により構成されてよい。
【００２６】
このように、例えば、サッカー選手にボールの目標位置として、ゴールを表す検知壁の領域を表示しうる。サッカー選手は、このように急速に異なるボールシューティング練習を実行しうる。
【００２７】
１の実施形態ではシステムでは、ゲームアイテムが例えばボールである、１又はそれ以上のボール供与を含みうる。ボール供与は、例えば選手に向かって、所定の方向にボールを送達するように構成されうる。表示手段は、目標位置としてセンサ領域を示す、検知壁により構成されてよい。
【００２８】
１の実施形態では、当該判定手段は、ゲームアイテムの実際位置に応じて目標位置を決定するように構成される。このように例えば、競技場での試合に応じた目標位置を動的に決定しうる。
【００２９】
１の実施形態では、当該判定手段は、ゲームアイテムの実際位置及びゲームアイテムが移動する領域、特に、競技場の幾何学的特性に応じて目標位置を決定するか、又は、競技場の幾何学的特性、特に、ゴール中心（Tormitte）に対するゲームアイテムの実際位置に応じて目標位置を決定するように構成される。例えば、当該目標位置は、ボール位置に応じたゴール中心とボールの間を結ぶ線として決定されうる。
【００３０】
１の実施形態では、当該判定手段は、連続する一連の補助位置としての目標位置を決定するよう構成される。例えば、移動工程を短くしうる、連続する一連の補助位置により、最終的な目標位置に到達するまでの工程が簡略化される。
【００３１】
１の実施形態では、当該検出手段は他のゲームアイテムの他の実際位置を決定するように構成され、かつ、当該判定手段は、他の実際位置に応じて、特に他のゲームアイテムの他の実際位置と比較して、前記目標位置を決定するように構成される。
【００３２】
１の実施形態では、当該判定手段は、前記実際位置を前記目標位置と関連付ける所定の制御により、前記目標位置を決定するように構成される。当該制御は、例えば、選手の目標位置を他の選手の他の実際位置に対して関連付けうる。
【００３３】
１の実施形態では、当該検出手段は、他の複数のゲームアイテムの他の複数の実際位置を決定するように構成され、かつ、当該判定手段は、複数の他の実際位置に応じて当該ゲームアイテムの当該目標位置を決定するように構成される。他の複数の実際位置は、チームの選手の実際位置等により決定しうる。このように、チームにおける個々の選手の目標位置を決定及び／又は表示しうる。
【００３４】
１の実施形態では、当該判定手段は、他の実際位置の重心、特に、幾何学的又は加重の重心を決定し、かつ、前記重心に応じて、特に重心と比較して前記目標位置を決定するように構成される。重力の幾何学的重心は、例えば、重力の幾何学的重心を決定しうる自体公知の各アルゴリズムにより決定される。重み付けされた重心は、他のゲームアイテムの実際位置の重み付けされた実施形態によれば、例えば、重力の幾何学的重心でありうる。重み付けは、特定の試合状況におけるゴールキーパー等の選手の重要性を示す。
【００３５】
１の実施形態では、当該判定手段は、当該幾何学的重心を当該目標位置と関連付ける所定の制御により、当該幾何学的重心に応じて当該目標位置を決定するように構成される。当該制御は、経験に基づいて作成しうる。
【００３６】
１の実施形態では、当該表示手段は、目標位置の指標としての目標位置それ自体若しくはゲームアイテムの位置に対する目標位置の位置、特に目標位置の方向、の指標、又は、実際位置と目標位置との差の指標として、表示するように構成される。当該差は、例えば、周波数が変化するうなり（Schwebung）又は可変周波数の音響信号により示すことができ、当該うなり周波数及び信号周波数は当該差に直接依存する。
【００３７】
１の実施形態では、当該表示手段は、目標位置の指標を、音響的、光学的、音響光学的、触覚、特に振動又は圧力表示で表示するように構成される。このため、当該表示手段は、選手等のユーザに目標位置に関する指標を示す、例えば触覚信号を生成するために、例えば、当該ユーザ等に着用されうる。しかしながら、表示手段は画面を含んでよく、又は、例えば、競技場又はヘルメットのひさし（Visier）のひさしのシールド（Visierscheibe）等のプロジェクション領域上のプロジェクションに指標を投影（projizieren）するよう設計しうる。
【００３８】
１の実施形態では、当該ゲームアイテムは、ボール、特にサッカーボール、卓球ボール、テニスボール、ラグビーボール又はパックであり、当該表示手段は、着信ゲームアイテムを検出するための検知壁を含み、特に、領域の照明若しくは照射による視覚的強調表示又は音響的強調表示により、目標位置の指標として検知壁の範囲を表示するように構成される。検知壁は、例えば上記検知壁のメルクマール又は前記検知壁に応じたメルクマールを含んでよい。
【００３９】
１の実施形態では、当該表示手段は、電子ディスプレイ上の目標位置の指標を表示するように構成される。当該判定手段はディスプレイを適切に制御するように構成されてよい。
【００４０】
１の実施形態では、当該表示手段は、目標位置の指標を表示するスマートフォンのディスプレイを制御するように構成される。
【００４１】
１の実施形態では、検出手段及び/又は判定手段及び/又は表示手段は、スマートフォン上で例えば、アプリケーションプログラムによるソフトウェアで実現しうる。
【００４２】
１の実施形態では、当該表示手段は、特に、レーザープロジェクション又はＬＥＤプロジェクションによる投光手段で運動場上の目標位置の指標を投影するように構成される。
【００４３】
１の実施形態では、当該判定手段が、身体パラメータ、特に心拍数；心拍変動；体温；糖度又は酸素濃度又は呼吸速度又はペーシングレート又は速度等の血液パラメータの関数としての目標位置を決定するように構成される。身体パラメータは、例えば非接触センサを用いて決定でき、例えば当該検出手段で送信されうる。
【００４４】
１の実施形態では、当該判定手段は、少なくとも１つの位置決定装置、特に実際位置を検出する位置送信機を備える少なくとも１つの位置決定装置、特に実際位置を検出するための位置発信機を備える。当該位置送信機は例えば運動選手に配置しうる。一般に、当該実施形態により、本発明のシステムをユーザが装着しうる。
【００４５】
１の実施形態では、当該システムは実際位置を検出するための複数の検出手段を備える。
【００４６】
本発明の他の１の実施形態では、ユーザ依存の状態を検出する方法であって、以下の：スポーツアイテムの複数の位置を検出するステップ；及び、検出された複数の位置に基づきスポーツアイテムの状態を決定するステップ；を含む、方法に関する。
【００４７】
この方法の他の特徴は、システムの機能又はシステムの特徴から直接誘導される。１の実施形態では、当該方法は当該システムにより実行しうる。
【００４８】
他の態様では、本発明は、プログラムコードがコンピュータ上で実行される場合、本発明の方法を実行するためのプログラムコードを有するコンピュータプログラムに関する。
【００４９】
本発明の他の実施形態は、添付の図面を参照しながら説明する。
【図面の簡単な説明】
【００５０】
【図１】図１は、１の実施形態に関するゲームアイテムに運動練習を支持するシステムのブロック図である。
【図２】図２は、１の実施形態に関する運動練習を支持するシステムを示す図である。
【図３】図３は、他の実施形態に関する運動練習を支持するシステムを示す図である。
【図４】図４は、他の実施形態に関する運動練習を支持するシステムを示す図である。
【図５】図５は、他の実施形態に関する運動練習を支持するシステムを示す図である。
【図６】図６は、他の実施形態に関する運動練習を支持するシステムを示す図である。
【図７】図７は、他の実施形態に関する運動練習を支持するシステムを示す図である。
【発明を実施するための形態】
【００５１】
図１は、スポーツアイテムのユーザ依存の状態を検出するシステム１００のブロック図を示す。当該システム１００は、当該スポーツアイテムの複数の位置を検出する検出手段１０１と、当該検出された複数の位置に基づき、スポーツアイテムの状態を判定する判定手段１０３を備える。
【００５２】
当該スポーツアイテムの状態は、以下の：ユーザでのスポーツアイテムの滞留時間；速度、特に並進速度又はスポーツアイテムの回転速度；パルス、特にスポーツアイテムの角運動や並進運動量；スポーツアイテム用の移動方向；加速度、特にスポーツアイテムの正又は負の加速度の加速度；の状態の１つであってよい。
【００５３】
当該システムは、場合によっては、表示手段１０５を含みうる。当該表示装置１０５は、例えば、表示するディスプレイ上に検出される複数の位置を設けてよい。
【００５４】
表示手段１０５は、代替的又は追加的に、競技場で投影領域を投えい／投影するように構成しうる。それはボールがスポーツアイテムでスポーツアイテムの状態が競技場での運動選手のボール滞留時間の場合、表示手段１０５は、他の運動選手が投影領域内に留まることを示すように、他の運動選手を競技場に投影するように、例えば円形の投影領域を構成しうる。当該プロジェクションは、例えば滞留時間１又は２秒後といった所定の滞留時間後、他の運動選手が当該選手と攻撃しうることを示すことを終了しうる。これにより、実際の試合状況をシミュレートしうる。
【００５５】
図２は、１のゲームアイテムに例えばサッカーの運動練習を支持するシステムを示す図である。当該システムは、例えばサッカーフィールド隅部２０９で互いに離れて配置される複数の検出手段２０１、２０３、２０５及び２０７（ＰＬＳ１、ＰＬＳ２、ＰＬＳ３、ＰＬＳ４）を備える位置特定システムを備える。しかし、当該システムは１、２、３、４又はそれ以上の検出装置を含みうる。
【００５６】
当該システムはさらに、ゲームアイテムの実際位置に対応するゲームアイテムの実際位置を決定する判定手段２１１を備える。判定手段は、例えば、各々が目標位置を選択しうる複数のアプリケーションフィールド２１４があるアプリケーションプログラムによるスマートフォン上で実現されうる。しかし、判定手段２１１はまた別のコンピュータ又はコンピュータクラスタであってよい。
【００５７】
システムはさらに、目標位置とは異なる実際位置をもたらす、目標位置の指標を表示するための表示装置２１３を備える。例えば、目標位置２１５は、例えば競技場２０９のエリア２１６内にあってよい。例えば、表示装置２１３は、競技場上の目標位置２１５の周囲に同心円を投影するように、例えば、ゴールキーパー２１７に対して目標位置を示すように構成されてよい。ゲームアイテムの実際位置は、例えばゴールキーパー２１７の実際位置に対応しうる。例えば、さらに他の選手２１９が競技場２０９上に存在する場合、目標位置２１５は他の選手２１９の実際位置に応じて決定及び／又は示されてよい。このため、他の選手２１９は、共通の検出手段を構成する検出手段２０１〜２０５に対して、他の選手２１９の位置を送信する送信機を装備しうる。
【００５８】
当該システムはさらに、第１及び第２のゴールキーパーの動作を表示しうるアプリケーションとしてビデオ分析システム２２１を備えうる。
【００５９】
攻撃の過程で手から正確にボールをロングキックして競技しうるには、ゴールキーパー（ＴＷ１）の異なるサブスキルが有利である。第１に、位置１０で選手Ｐ１がボールを受ける場合は、チームメートの予想位置を予測するゴールキーパーの能力が関連する。さらに、ゴールキーパーの技術力、強靭性、調整レベルについて、ゴールキーパーは以下の生体力学的影響変数により正確にボールを操縦しうるべきである：
−線形運動量
−角運動量（左、右）
−発射角（水平、垂直）。
【００６０】
ここで、上記生体力学的影響変数は、ゴールキーパーの動き同様それ自体公知の方法で、リアルタイムで確認しうる。
【００６１】
ボールをパスされる選手Ｐ１が特定の方向に平均速度ｖで時刻ｔ１で走り始める場合、確定的（決定論的）生体力学的法則を含むモデルの仮定に基づいてよく、データベースに格納されうる当該システムは、当該ボールが、パスされる場合、既知の入力生体力学的初期条件で予め時刻ｔ２でボールがどこに着地するかを計測しうる。標的ディスクの形状で作動されるこの標的は、継続的又は動的に可変の方法で表示装置２１３によりピッチ又はトレーニング領域へ投影されうる。それゆえ、標的ゾーンはゴールキーパーが最終的にボールを投てきする前であってもゴールキーパーにはリアルタイムのフィードバックにより可視化されうる。さらに、ボール軌道が発生した影響下で、発射角α又はβ、球Ｐの運動量、ボール軌道等を含むパラメータはわずかな遅延（０．１〜０．５秒）で利用できる。リアルタイムで、当該システムにより、例えば標的内のキックの目標精度もまた特定しうる。習得モード又はリアルタイムフィードバックモードで、ゴールキーパーは実際にその場合にどのような基準でフィードバックを行うべきか決定しうる。このため、ゴールキーパーやコーチは、タブレットＰＣ、ＰＣ、ノートパソコン、スマートフォン及び他の表示装置といった異なるアプリケーション（アプリ）から選択する。ゴールキーパーに関するデータベースであって、当該データベースがデータを含む、統計データ材料に基づいて目標値/実際値の偏差を行うか否かを決定しうる。あるいは、リアルタイム−トレーニング−学習の異なる生体力学モデルを参照しても行いうる。それから、キックの実行を、距離を最適化するか、正確度を最適化するか、又は時間を最適化するか、選択しうる。
【００６２】
図３は、当該実施形態に関する、例えばサッカーのゲームアイテムへの運動練習を支持するシステムを示す。当該システムは、図２に示す検出装置２０１〜２０７の少なくとも１つを含む。当該検出装置は、例えばボールであるゲームアイテム３０１の実際位置を検出する。図３には示さないが、判定手段では、例えば、ボール３０１の実際位置及びゴール３０３の中心に基づいて、ゴール中心（Tormitte）とボール３０１の実際位置の間の接続線３０５を決定する。
【００６３】
表示装置２１３は、競技場の接続線３０５を投影するように、かつ、１の実施形態では本明細書の定義の範囲内でゲームアイテムとなりうる、ゴールキーパー３０７を目標位置として示すように、構成しうる。
【００６４】
１の実施形態では、表示装置２１３は、代替的又は少なくとも１つの、接続線３０５の方向にゴールキーパーを示す振動モジュール３０９を備えうる。このため、ゴールキーパーは、両側に、例えば、上腕に、ゴールキーパー３０７の実際位置に応じて接続線３０５の方向に振動音の指標を示す、振動モジュールを装着しうる。
【００６５】
１の実施形態では、表示装置２１３は、代替的又は少なくとも１の追加的に、例えば耳栓の形状で、例えばゴールキーパーの耳に固定しうる、スピーカ３１１を備えうる。スピーカ３１１は、当該目標位置の位置、すなわち、接続線３０５の位置を示す音響信号を出力するように構成される。１の実施形態では、競技場の接続線のプロジェクションを省略してよい。他の実施形態では、上記実施の形態の少なくとも２つ、例えばプロジェクション及び振動又はプロジェクション及び音響信号が共に用いられうる。
【００６６】
例えば、攻撃者Ａ１が位置Ｐ１から目標にシュートする場合、ボールと架空の接続線（Ｌ１〜Ｌ４）の間の空間を移動すると、幾何学的形状のために概ね直線であるボールの飛行経路によりボールは直ちに目標に飛行する。ゴールキーパーの個々の戦術的なタスクは、実際に表面積（Ｆ１）の最大限の部分を覆う、その人体関連測定範囲（anthropometrisch bedingten Reichweite;ＡＢＲ）を伴う姿勢と位置により行われる。それはボール中心とゴール中心の間の架空の線に作用した場合に最も成功する。シュートトレーニングやゲーム中、光音響弾性触覚フィードバックシステムを形成しうる表示装置２１３により当該線をピッチやトレーニング場で投影しうる。当該システム上のリアルタイムでのボール３０１の空間位置が送信されうるため、当該線はボールの位置に常に移動する。ゴールキーパーは、このように、視覚的なリアルタイムのフィードバックを介して個々の戦術的なポジショニングを継続的に最適化しうる。視覚的なリアルタイムのフィードバックと並行して、ゴールキーパーの身体に取り付けられるか及び／又は音響システムである、ミニヘッドホンシステム及び／又は小型スピーカーシステムに関する音響的フィードバックも行われる。当該音声フィードバックは、例えば、正確な位置に達すると標準ピッチＡが記録され、かつ、目標値／実際値の差（ＳＩＤ）が大きくなるにつれて理想的な位置からの距離に比例して周波数が変化する場合に機能する。同様に、当該音響フィードバックの当該システムはハウリングやのシステムなどソナーや駐車支援システムの音響フィードバックとして機能しうる。リアルタイムフィードバックの第３の構成要素は、ゴールキーパーの身体に装着され、表示装置２１３の要素であってよい触覚音響フィードバックシステムの振動周波数及び／又は振幅の制御された変動を目標値／実際値の差の形式でとる。
【００６７】
図４は他の実施形態に関する運動練習を支持するシステムを示す。競技場２０９に配置された選手４０１（Ｓ１）、４０３（Ｓ２）、４０５（Ｓ３）及び４０７（Ａ１）は、ボール４０９で練習を行うが、ここで、例えば選手４０７は攻撃者である。選手４０１、４０３及び４０５は、例えば本明細書に定義するゲームアイテムと理解されうる。表示装置２１３は、例えば、選手４０１〜４０５又は選手４０１、４０５又は４０５の１人へ送信する、目標位置に関する指標を含む信号を生成しうる。目標位置の指標は、各選手４０１、４０３、４０５へ触覚、音響又は振動により示しうる。このため、検出手段２１３は、例えば、各選手４０１〜４０５に取り付けうる振動モジュール又はスピーカを含んでよい。当該システムはさらにビデオ分析システム４０６を備えてよい。
【００６８】
図４に示す実施形態では、いわゆるプレスによるボールに対するグループ戦術を示す。
【００６９】
現代サッカーでは、ピッチの相手側半分ですでに深く防御を始める。もし、例えば、相手チーム（Ａ１）の攻撃選手がボールを所持する場合、周囲を取り囲む対戦チームの選手（Ｓ１〜Ｓ３）がゲームアイテムであり、選手Ａ１に可能なかぎり攻撃的に攻撃してボールを奪還しようとする。これをプレスという。この選手がプレスすることによる当該攻撃は選手のプレス加速の大きさを測定して測定評価しうる。もし、データベースにナショナルチームやクラブチーム、これまでの優秀選手のプレス状況における加速態様に関する参照値が含まれていれば、それを目標値としてリアルタイムのフィードバックのトレーニング、コーチング及び学習用に基準値として用いうる。リアルタイムフィードバックトレーニングの処理は、以下の１の実施形態であろう：
１）  コーチは、判定手段２１１のタブレットＰＣ、スマートフォン、パソコン、ノートブックやその他のディスプレイユニットについて、実際値／目標値の相違を獲得するための比較に用いるデータベースから参照値を選択する。アプリ４，５，６はナショナルチームの標準値を参照し、代表チームとクラブチームの基準値へのアプリ７，８，９はクラブチームの標準値を参照する。
２）  コーチは、トレーニンググループがプレスを行う場合に制御できるよう、例えば、手でプッシュボタンを持つ。コーチが当該ボタンを押すと、半径ｒの光円錐が表示装置２１３によりボール保持者に投影され、さらに、音響放射及び／又はミニヘッドホン及び／又は身体に装着するスピーカーシステムを介して信号音が発生しうる。また、設定によっては、制御可能な振動システムの周波数と振幅を介した触覚フィードバックを実行する。
３）  もし、１人の選手が、あまりにも多くのボール保持者の相手に参照値よりも強力に逸脱した加速値で動作する場合、上記リアルタイムフィードバック法で当該選手に報告しうる。
４）  アクションを終了する場合、表示装置２１３は、目標値、実際値と目標値と実際値の差異を投影しうる、及び／又は、タブレットＰＣ及び／又はスマートフォン若しくは他の制御及び表示部に結果を表示しうる。
【００７０】
図５は、例えば、当該ゴールキーパー５０１に目標位置５０３、５０５に複数の指標を示しうる、他の実施形態を示す。
【００７１】
現代のサッカープレイでは、当該ゴールキーパーは守備の最後方として機能すべきである。ここで基本的なルールとして、ゴールキーパーは架空のボール接続線上のゴール中心に沿って移動すべきである。リアルタイムフェードバックのトレーニング又は試合のシナリオでは、当該接続線は、実際のトレーニング又はゲームアクション中、継続的に試合又はトレーニングエリアに表示装置２１３により投影されうる。当該リアルタイムフィードバック投影により、ゴールキーパーは仮想線に移動することを迅速に習得しうる。目標値／実際値の差異が一定限度を超えた場合、視覚的なフィードバックに加えて音響及び触覚フィードバックがあってよい。コーチ又はゴールキーパーは、例えば、目標値／実際値の差異を算出する目的で、データベースに格納された統計的な基準値に関して決定しうる。このため、従来の方法で獲得しうる値は、特定のゴールキーパーの典型的な行動のビデオシーケンスの分析からデータベースに格納される。ゴールキーパーの目標位置は、例えばチームの幾何学的重心に対するゴールキーパーの平均距離を過去の経験的かつ統計的に１００の典型的なビデオ映像から決定し、かつデータベースに格納される。当該目標値は、数学的関係でトレーニング又は試合をしているチームの重心を継続的に検出するために設定され、トレーニング又は試合中にリアルタイムで結果が視覚的に示される。このように、ゴールキーパーの目標位置は、競技場又はトレーニングエリアで動的にリアルタイムに投影する円形領域（ＳＷＰ１０）の形で、アプリ１０によりスイッチオンにしうる。類似物もまた、コート（ＳＷＰ１１）でリアルタイムに別のゴールキーパーの典型的な挙動を示しうる。
【００７２】
図６は、選手が本明細書で定義されるゲームアイテム６０１〜６０４である、他の実施形態に関するシステムを示す。この場合、少なくとも、選手６０１又はそれ以上は、他の選手の実際位置に応じた個々の目標位置における指標が示される。ここで、例えば重心は、例えば幾何学的重心を各選手６０１に個々の目標位置を示すように他の選手の実際位置から決定しうる。
【００７３】
１の実施形態では、このように選手間の距離を監視しうる。選手６０１と選手６０２の距離が例えば長すぎると指標が示されてよく、当該距離が短い場合には目標位置としての目標距離が対応する。当該目標距離は、例えばセットであるか又は決定論的及び／又は経験的かつ統計的でありえるモデリング手法に起因し、リアルタイムで動的に利用しうる選手の目標位置を保持する。
【００７４】
図７は、例えばサッカーであるボールを用いた動作練習を支持する１の実施形態であるシステムを示す。
【００７５】
当該システムは、各々が１のボール７０９を競技場７１１へもたらすように構成される、少なくとも１つの表示装置７０１、７２９と１又はそれ以上のボール保持者７０２、７０３、７０４及び７０５を備える。当該システムは、当該ボールの実際位置としてボール７０９の位置を決定するように構成される少なくとも１つの判定手段７１３及び７１５を備える。このため、ボール７０９は送信信号を送信し、少なくとも判定手段７１３及び７１５が位置決定のために受信し、かつ、公知の方法で評価できるように構成されうる。少なくとも１つの判定手段７１３及び７１５は、特に、図７で軌跡７１７として例示されるボール１３０９の１又は複数の位置を検出するように構成されうる。このように、少なくとも１つの判定手段７１３及び７１５は、当該ボール７０９を受け取りパスする選手のボール７０９の滞留時間を決定しうる。当該滞留時間は、選手がボールを受ける場合のボールの例えば減速度すなわち負の加速度及び選手がボールをパスする場合のボールの正の加速度に基づき、決定されうる。
【００７６】
当該システムはさらに、例えば競技場７１１を少なくとも部分的に制限する検知用壁として構成される、少なくともボール捕獲者７１９、７２１、７２３、７２５を含む。当該検知壁７１９、７２１、７２３、７２５は、例えば、圧力センサを備えうるセンサ領域７２７を含む。このため、表示手段７２９は、例えば、ボール７０９の目標位置を示すための場所７２９を選択しうる。これは、各場所７２７の照明により行いうる。このように、どこにボール７０９を蹴るかを選手にプレイヤーに示しうる。
【００７７】
１の代替的又は追加の実施態様では、検知壁７２５上のボールの目標位置７３３を静的又は動的に投影するように構成される表示手段７０１が提供される。当該目標位置は、例えば図７に示すように、矢印で示すように可変である。当該検知壁７２５は、ボール放出後に、例えば、目標位置と検出位置の偏差７３７から決定されうる、プレス等の衝撃位置７３５を検出しうる。当該衝撃位置７３５は、ボールの位置とコンピュータで、圧力センサがなくても公知の幾何学的空間を決定しうる。この場合、当該圧力センサ上を当該検知壁で省略しうる。
【００７８】
１の実施形態では、当該表示手段７２９は、チームメートをシミュレートするため、検知壁７２５上に選手フィギュア７３８を投影しうる。当該シミュレーションは三次元でありえ、選手が例えば三次元メガネ７３９、例えば、３Ｄ眼鏡を装着しうる。
【００７９】
１の実施形態では、１又はそれ以上の個人及び／又はゲームアイテムを１又はそれ以上の場所に取り付けうる、１又はそれ以上の能動マーカー又は受動マーカーのリアルタイム位置システムが提供される。当該リアルタイム位置システムは、例えば、少なくとも１の表示装置を備える。当該リアルタイム位置システムは、逆反射マーカーで作動する赤外線映写システムであってよいが、アクティブ送信機と対応する受信機技術を用いたビデオ追跡装置又は無線位置システムであってよい。しかし、それはまた他の能動的又は受動的位置特定システムであってよい。
【００８０】
さらに、リアルタイム生理学的信号の記録及び伝送システムは、位置データを用いて、例えば心拍数、心拍変動、体温、呼吸頻度、皮膚抵抗（Hautleitwiederstand）、電解質組成等の生理学的信号の同期誘導及び転送がもたらされる。また、このような空気圧及び／又は回転及び／又は加速度等の技術データを考慮しうる。
【００８１】
さらに、データベースシステムは外部及び／又は内部データを格納しうるよう提供されてよい。当該データベースは、継続的に外部データ又は内部データのどちらかで拡張される。外部データは、例えばゲーム又はトレーニングセッション又はビデオ若しくは他のデータ収集技術により記録及び分析される他の物由来のデータである。当該データベースはまた、例えば、実験室由来のパフォーマンス診断特徴量又は追跡テスト又はボディスキャナを用いた測定値由来の人体計測データ等の他のソースから値を受信する。しかしながら、当該データベースは自己記録（実際値）から生成されるデータにより継続的かつ体系的に拡張される。当該データは内部ソースという。
【００８２】
さらに、制御システムは、常に専門知識を導入することで拡張されて提供されうる。専門家は、スポーツ科学者、スポーツ医師、技師、サッカーコーチ等であってよい。
【００８３】
さらに、セットアップモジュールは、ＰＣ、タブレットＰＣ、スマートフォン又は他の制御装置で制御されて提供されうる。当該セットアップモジュールは、内部及び外部ソースを目標値−実際値の比較のためのトレーニングゲームや観測装置に用いるかを決定する。同様に、当該仕様はモジュール上のリアルタイムのフィードバックシステムのために決定される。
【００８４】
当該セットアップ・モジュール、当該制御システム及び当該データベースシステムは判定手段に格納しうる。
【００８５】
さらに、サブジェクトにリアルタイムで表示装置と目標値及び／又は実際値及び／又は目標値／実際値の差異を含むリアルタイム・フィードバック・システムは、表示手段を備え、かつ、光学的／視覚的信号及び／又は音響的信号及び／又は臭覚的信号の形態のサブジェクトに目標値を送信するシステムを提供しうる。視覚信号は、以下の：レーザ投影システム又は他の光学投影システム又はスクリーン又は他の視覚的/視覚的な提示方法、小型のヘッドセット又は拡声装置や車載本体スピーカーシステムを含む音響システム又は身体の所定の場所に装着しうる少なくとも１の振動装置；であってよい。
【図１】
2014531588.tif 000003
【図２】
2014531588.tif 000004
【図３】
2014531588.tif 000005
【図４】
2014531588.tif 000006
【図５】
2014531588.tif 000007
【図６】
2014531588.tif 000008
【図７】
2014531588.tif 000009
【国際調査報告】
2014531588.tif 000010
2014531588.tif 000011
2014531588.tif 000012
2014531588.tif 000013
2014531588.tif 000014
2014531588.tif 000015